(57)【要約】【課題】利用者の健康管理に確実に寄与する。【解決手段】携帯端末の健康管理情報取得手段は、利用者の生体情報及び運動情報を含む健康管理情報を取得し、健康管理情報送信手段が、健康管理情報をネットワークを介して情報処理装置へ送信する。情報処理装置では、健康管理情報蓄積手段が、受信した利用者の健康管理情報を蓄積し、食事メニュー情報生成手段が、健康管理情報に基づいて、利用者の食事メニューを生成し、食事提供元情報供給手段が、食事メニュー情報生成手段によって生成された食事メニューと、食事提供元情報蓄積手段に蓄積された提供元情報とに基づいて、利用者に対応した食事の提供元情報を携帯端末へ供給する。【選択図】図１
2009009350.tif 000002
【特許請求の範囲】
【請求項１】
利用者が携帯し前記利用者の健康管理情報を取得する携帯端末と、前記健康管理情報をネットワークを介して取得して、前記健康管理情報に対応する食事メニュー情報を生成する情報処理装置とを備えてなる健康管理システムであって、
前記携帯端末は、前記利用者の生体情報及び運動情報を含む前記健康管理情報を取得する健康管理情報取得手段と、前記健康管理情報を前記ネットワークを介して前記情報処理装置へ送信する健康管理情報送信手段とを有し、
前記情報処理装置は、受信した前記利用者の前記健康管理情報を蓄積する健康管理情報蓄積手段と、前記健康管理情報に基づいて、前記利用者の食事メニューを生成する食事メニュー情報生成手段と、食事メニューに対応する食事の提供元情報を蓄積する食事提供元情報蓄積手段と、前記食事メニュー情報生成手段によって生成された前記食事メニューと、前記食事提供元情報蓄積手段に蓄積された前記提供元情報とに基づいて、前記利用者に対応した食事の前記提供元情報を前記携帯端末へ供給する食事提供元情報供給手段とを有している
ことを特徴とする健康管理システム。
【請求項２】
前記健康管理情報取得手段は、前記利用者の前記健康管理情報を得るための測定手段を有していることを特徴とする請求項１記載の健康管理システム。
【請求項３】
前記携帯端末と近距離無線を介して接続され、前記利用者の前記健康管理情報を得るための測定端末を備えてなることを特徴とする請求項１記載の健康管理システム。
【請求項４】
前記測定端末は、測定端末本体に装着用のバンドが取り付けられてなる腕時計型端末からなることを特徴とする請求項３記載の健康管理システム。
【請求項５】
前記ネットワークに接続され、前記提供元に設置された提供元端末を備え、前記情報処理装置は、前記携帯端末から所定の前記提供元での前記食事メニューに対応する食事の予約を受け付けて、前記提供元端末へ照会するための予約受付け手段を有してなることを特徴とする請求項１乃至４のいずれか１に記載の健康管理システム。
【請求項６】
前記ネットワークに接続され、複数の前記提供元が集合した所定の場所に設置され、前記提供元情報を前記携帯端末に提示するための提供元案内装置を備えてなることを特徴とする請求項１乃至５のいずれか１に記載の健康管理システム。
【請求項７】
前記情報処理装置は、栄養情報を含む食事メニュー情報が蓄積された食事メニュー情報蓄積手段を有し、前記食事メニュー情報生成手段は、前記健康管理情報と、前記メニュー情報蓄積手段に蓄積された前記食事メニュー情報とに基づいて、前記利用者の食事メニューを生成することを特徴とする請求項１乃至６のいずれか１に記載の健康管理システム。
【請求項８】
前記測定手段又は前記測定端末は、前記生体情報として、前記利用者の体温、脈拍、血圧、体脂肪率、血糖値、コレステレロール値、又は尿酸値を、前記運動情報として、前記利用者の歩数を測定することを特徴とする請求項２乃至７のいずれか１に記載の健康管理システム。
【請求項９】
利用者が携帯し該利用者の健康管理情報を取得する携帯端末から、ネットワークを介して、前記健康管理情報を取得し、前記健康管理情報に対応する食事メニュー情報を生成する情報処理装置であって、
前記健康管理情報は、前記利用者の生体情報及び運動情報を含み、
当該情報処理装置は、受信した前記利用者の前記健康管理情報を蓄積する健康管理情報蓄積手段と、前記健康管理情報に基づいて、前記利用者の食事メニューを生成する食事メニュー情報生成手段と、食事メニューに対応する食事の提供元情報を蓄積する食事提供元情報蓄積手段と、前記食事メニュー情報生成手段によって生成された前記食事メニューと、前記食事提供元情報蓄積手段に蓄積された前記提供元情報とに基づいて、前記利用者に対応した食事の前記提供元情報を前記携帯端末へ供給する食事提供元情報供給手段とを備えてなる
ことを特徴とする情報処理装置。
【請求項１０】
利用者が携帯し該利用者の健康管理情報を取得する携帯端末と、前記健康管理情報を取得して、前記健康管理情報に対応する食事メニュー情報を生成する情報処理装置とが、ネットワークを介して接続され、
前記健康管理情報は、前記利用者の生体情報及び運動情報を含み、
前記情報処理装置は、受信した前記利用者の前記健康管理情報を健康管理情報蓄積手段に蓄積する健康管理情報蓄積処理と、前記健康管理情報に基づいて、前記利用者の食事メニューを生成する食事メニュー情報生成処理と、
前記食事メニュー情報生成処理で生成された前記食事メニューと、食事メニューに対応する食事の提供元情報を蓄積する食事提供元情報蓄積手段に蓄積された前記提供元情報とに基づいて、前記利用者に対応した食事の前記提供元情報を前記携帯端末へ供給する食事提供元情報供給処理とを実行する
ことを特徴とする健康管理方法。
【請求項１１】
利用者が携帯する携帯端末によって前記利用者の健康管理情報を取得し、情報処理装置によってネットワークを介して前記健康管理情報を取得して、前記健康管理情報に対応する食事メニュー情報を生成する健康管理方法をコンピュータに実行させるための制御プログラムであって、
受信した前記利用者の生体情報及び運動情報を含む前記健康管理情報を健康管理情報蓄積手段に蓄積する健康管理情報蓄積処理と、前記健康管理情報に基づいて、前記利用者の食事メニューを生成する食事メニュー情報生成処理と、
前記食事メニュー情報生成処理で生成された前記食事メニューと、食事メニューに対応する食事の提供元情報を蓄積する食事提供元情報蓄積手段に蓄積された前記提供元情報とに基づいて、前記利用者に対応した食事の前記提供元情報を前記携帯端末へ供給する食事提供元情報供給処理とを
コンピュータに実行させることを特徴とする制御プログラム。
【発明の詳細な説明】
【技術分野】
【０００１】
この発明は、健康管理システム、情報処理装置、健康管理方法及び制御プログラムに係り、例えば、利用者の健康管理情報を収集して、適切な食事メニューを生成し、利用者に提供するための健康管理システム、情報処理装置、健康管理方法及び制御プログラムに関する。
【背景技術】
【０００２】
近年、食生活の欧米化が急速に進行して、糖尿病や、高脂血症、痛風等の生活習慣病と呼ばれる疾病が増加してきており、メタボリック症候群として、関心が高まってきている。ところが、入院中の患者はともかく、こういった疾病に罹患するまでは、多くの者は、食事を自分の嗜好のみで決定し、健康面で特に注意することは稀である。特に、外食時は、必要な栄養素を偏りなく摂取することは難しく、こういった食生活の継続が、上述した生活習慣病や肥満の原因となっていた。
【０００３】
ところで、移動中や外出先でも使用可能であるという高い利便性によって、携帯端末としての携帯電話機が、広く普及してきている。携帯電話機は、通常、本来の通話機能や、例えば電子メールの送受信やインターネットに接続してホームページの閲覧が可能なデータ通信機能を有しているほか、最近は、多機能化が進んでいる。
【０００４】
この携帯電話機に、健康管理のためのアプリケーションプログラムを搭載して、利用者の健康状態を管理させる技術が提案されている（例えば、特許文献１等参照。）。
この技術では、利用者の健康状態（体温や脈拍数、体脂肪率等）を測定して、携帯電話機から、健康管理サーバへ送信し、健康管理サーバは、健康状態に合った食事メニューを抽出して、食事メニューに用いられる食材の情報と、食材を販売する販売店の情報とを携帯電話機へ送信する。
【特許文献１】特開２００６−０７２６６５号公報
【発明の開示】
【発明が解決しようとする課題】
【０００５】
解決しようとする問題点は、上記従来技術では、利用者の健康管理に確実に寄与することが困難であるという点である。
すなわち、上記従来技術では、利用者の健康状態に合わせて、単に食事のレシピ等が紹介される程度であるので、健康状態の分析結果やレシピ、食材の入手方法（販売店等）を知ったとしても、これらを、どう有効利用するか否かは、あくまで利用者次第である。特に、外食が中心の単身者（若者や、単身赴任者等）にとっては、役に立たない。
【０００６】
この発明は、上述の事情に鑑みてなされたので、利用者の健康管理に確実に寄与することができる健康管理システム、情報処理装置、健康管理方法及び制御プログラムを提供することを目的としている。
【課題を解決するための手段】
【０００７】
上記課題を解決するために、この発明の健康管理システムは、利用者が携帯し上記利用者の健康管理情報を取得する携帯端末と、上記健康管理情報をネットワークを介して取得して、上記健康管理情報に対応する食事メニュー情報を生成する情報処理装置とを備えてなる健康管理システムに係り、上記携帯端末は、上記利用者の生体情報及び運動情報を含む上記健康管理情報を取得する健康管理情報取得手段と、上記健康管理情報を上記ネットワークを介して上記情報処理装置へ送信する健康管理情報送信手段とを有し、上記情報処理装置は、受信した上記利用者の上記健康管理情報を蓄積する健康管理情報蓄積手段と、上記健康管理情報に基づいて、上記利用者の食事メニューを生成する食事メニュー情報生成手段と、食事メニューに対応する食事の提供元情報を蓄積する食事提供元情報蓄積手段と、上記食事メニュー情報生成手段によって生成された上記食事メニューと、上記食事提供元情報蓄積手段に蓄積された上記提供元情報とに基づいて、上記利用者に対応した食事の上記提供元情報を上記携帯端末へ供給する食事提供元情報供給手段とを有していることを特徴としている。
【０００８】
また、この発明の情報処理装置は、利用者が携帯し該利用者の健康管理情報を取得する携帯端末から、ネットワークを介して、上記健康管理情報を取得し、上記健康管理情報に対応する食事メニュー情報を生成する情報処理装置に係り、上記健康管理情報は、上記利用者の生体情報及び運動情報を含み、当該情報処理装置は、受信した上記利用者の上記健康管理情報を蓄積する健康管理情報蓄積手段と、上記健康管理情報に基づいて、上記利用者の食事メニューを生成する食事メニュー情報生成手段と、食事メニューに対応する食事の提供元情報を蓄積する食事提供元情報蓄積手段と、上記食事メニュー情報生成手段によって生成された上記食事メニューと、上記食事提供元情報蓄積手段に蓄積された上記提供元情報とに基づいて、上記利用者に対応した食事の上記提供元情報を上記携帯端末へ供給する食事提供元情報供給手段とを備えてなることを特徴としている。
【０００９】
また、この発明の健康管理方法は、利用者が携帯し該利用者の健康管理情報を取得する携帯端末と、上記健康管理情報を取得して、上記健康管理情報に対応する食事メニュー情報を生成する情報処理装置とが、ネットワークを介して接続され、上記健康管理情報は、上記利用者の生体情報及び運動情報を含み、上記情報処理装置は、受信した上記利用者の上記健康管理情報を健康管理情報蓄積手段に蓄積する健康管理情報蓄積処理と、上記健康管理情報に基づいて、上記利用者の食事メニューを生成する食事メニュー情報生成処理と、上記食事メニュー情報生成処理で生成された上記食事メニューと、食事メニューに対応する食事の提供元情報を蓄積する食事提供元情報蓄積手段に蓄積された上記提供元情報とに基づいて、上記利用者に対応した食事の上記提供元情報を上記携帯端末へ供給する食事提供元情報供給処理とを実行することを特徴としている。
【００１０】
また、この発明の制御プログラムは、利用者が携帯する携帯端末によって上記利用者の健康管理情報を取得し、情報処理装置によってネットワークを介して上記健康管理情報を取得して、上記健康管理情報に対応する食事メニュー情報を生成する健康管理方法をコンピュータに実行させるための制御プログラムに係り、受信した上記利用者の生体情報及び運動情報を含む上記健康管理情報を健康管理情報蓄積手段に蓄積する健康管理情報蓄積処理と、上記健康管理情報に基づいて、上記利用者の食事メニューを生成する食事メニュー情報生成処理と、上記食事メニュー情報生成処理で生成された上記食事メニューと、食事メニューに対応する食事の提供元情報を蓄積する食事提供元情報蓄積手段に蓄積された上記提供元情報とに基づいて、上記利用者に対応した食事の上記提供元情報を上記携帯端末へ供給する食事提供元情報供給処理とをコンピュータに実行させることを特徴としている。
【発明の効果】
【００１１】
この発明の構成によれば、携帯端末の健康管理情報取得手段は、利用者の生体情報及び運動情報を含む健康管理情報を取得し、健康管理情報送信手段が、健康管理情報をネットワークを介して情報処理装置へ送信する。情報処理装置では、健康管理情報蓄積手段が、受信した利用者の健康管理情報を蓄積し、食事メニュー情報生成手段が、健康管理情報に基づいて、利用者の食事メニューを生成し、食事提供元情報供給手段が、食事メニュー情報生成手段によって生成された食事メニューと、食事提供元情報蓄積手段に蓄積された提供元情報とに基づいて、利用者に対応した食事の提供元情報を携帯端末へ供給するので、利用者の健康管理に確実に寄与することができる。
【発明を実施するための最良の形態】
【００１２】
携帯端末の健康管理情報取得手段は、利用者の生体情報及び運動情報を含む健康管理情報を取得し、健康管理情報送信手段が、健康管理情報をネットワークを介して情報処理装置へ送信する。情報処理装置では、健康管理情報蓄積手段が、受信した利用者の健康管理情報を蓄積し、食事メニュー情報生成手段が、健康管理情報に基づいて、利用者の食事メニューを生成し、食事提供元情報供給手段が、食事メニュー情報生成手段によって生成された食事メニューと、食事提供元情報蓄積手段に蓄積された提供元情報とに基づいて、利用者に対応した食事の提供元情報を携帯端末へ供給することによって、利用者の健康管理に確実に寄与するという目的を実現した。
【実施例１】
【００１３】
図１は、この発明の第１の実施例である健康管理システムの構成を示す図、図２は、同健康管理システムの携帯端末の構成を示すブロック図、図３は、同携帯端末のセンサ部の構成を示すブロック図、図４は、同健康管理システムの情報管理センタの構成を示すブロック図、図５は、同情報管理センタの健康情報管理サーバ、飲食店情報管理サーバ、利用者情報データベースサーバ、飲食店情報データベースサーバ、メニュー情報データベースサーバ、及び課金サーバの構成を示すブロック図、また、図６は、同健康管理システムの動作を説明するための説明図である。
この例の健康管理システム１は、図１に示すように、利用者が用いる携帯端末２，２，…と、サービス提供事業者が管理する情報管理センタ３とが、ネットワーク４を介して接続されて概略構成されている。
【００１４】
各携帯端末２は、通話機能のほか、例えば電子メールの送受信やインターネットに接続してホームページの閲覧が可能なデータ通信機能を有する携帯電話機等からなり、図２に示すように、当該携帯端末本体の構成各部を制御する制御部１１と、制御部１１が実行する処理プログラムや各種データ等を記憶するための記憶部１２と、利用者の健康状態を知るために健康管理情報（生体情報及び運動情報）を取得するためのセンサ部１３と、Ａ／Ｄ変換器等を有する入出力部１４と、アンテナ１５を介して無線基地局との間で無線電波の送受信を行い、所定のプロトコルに従って通話やデータ通信を行うために用いられる無線通信部１６と、例えば、ホームページの内容や、受信した電子メール、機能設定画面等の画像情報や文字情報が表示出力される表示部１７と、例えば、着信時の楽音や報知音を出力する音声出力部１８と、送話音声を入力するマイクロフォンからなる送話部１９と、受話音声を出力するスピーカからなる受話部２１と、マイクロフォンやスピーカから入出力される音声信号の処理を行う音声処理部２２と、項目の選択や、数字及び文字の入力操作等を行うための多数の各種操作キー等からなる操作部２３とから概略構成されている。
【００１５】
制御部１１は、ＣＰＵ（中央処理装置）等を有してなり、記憶部１２に記憶された各種処理プログラムを実行し、携帯端末本体の構成各部を制御して、携帯端末２の電話機能、電子メール機能、Ｗｅｂ接続機能等を実現させるほか、健康管理情報取得処理や、健康管理情報送信処理、飲食店情報取得等を実行する。
【００１６】
健康管理情報取得処理は、測定案内処理と健康管理情報生成処理とを含んでいる。
制御部１１は、測定案内処理で、予め設定された測定時刻となると、測定開始を報知するための警報音又は音声メッセージを音声出力部１８に出力させるとともに、表示部１７に、測定開始を報知するための文字メッセージを表示させる。
ここで、制御部１１は、利用者へのセンサ部１３の未装着を検知した場合には、利用者に装着を促すための音声メッセージ及び文字メッセージを、それぞれ、音声出力部１８及び表示部１７に出力させる。
【００１７】
これにより、利用者は、センサ部１３の体温測定部２５の温度センサ及び心拍数測定部２６の振動センサの配置箇所を、身体の所定の部位（例えば、腕等）に当てるとともに、体脂肪率測定部２７の両電極を例えば左右の手に接触させ、血圧測定部２８の腕帯を一方の腕に巻き付ける。
【００１８】
なお、測定時刻を設定しておいても良いし、測定時間間隔を設定しておいても良い。また、常に、体温、心拍数、血圧、体脂肪率、及び歩数を全て測定しなくても、所定の項目を選択して、健康管理情報を取得するようにしても良い。また、制御部１１は、情報管理センタ３からの測定指示があったときに健康管理情報を取得するようにしても良い。
【００１９】
制御部１１は、健康管理情報生成処理で、センサ部１３からの検出情報に基づいて、健康管理情報を生成する。
また、制御部１１は、体温測定部２５の温度センサからの検出情報を、体温情報として取得する。
また、制御部１１は、心拍数測定部２６の振動センサからの検出情報に基づいて、１分間の振動数を心拍数として算出する。
【００２０】
また、制御部１１は、体脂肪率測定部２７の両電極間の抵抗値を検知し、抵抗値と体脂肪率と間の所定の相関関係に基づいて、検知された抵抗値から、利用者の現在の体脂肪率を求める。
また、制御部１１は、血圧測定部２８の圧力センサからの検出情報に基づいて、最高血圧値及び最低血圧値を求める。
また、制御部１１は、歩数測定部２９の加速度センサからの検出情報に基づいて、現在の歩数の積算値を取得する。なお、制御部１１は、既に測定した歩数の積算値から、運動の激しさの目安として、所定時間当りの歩数を求めても良い。
【００２１】
制御部１１は、健康管理情報送信処理で、情報管理センタ３へ健康管理情報を送信する。
制御部１１は、健康管理情報送信処理で、接続操作がなされ、すなわち、利用者の操作によって、所定のＵＲＬ（Uniform Resource Locator）が設定されて、情報管理センタ３にアクセスし、閲覧要求を行ってサービスメニュー情報を受信し、所定の項目を選択して、飲食店情報の提示要求とともに健康管理情報を送信する。
なお、健康管理情報とともに利用者の嗜好情報（例えば、直後の食事で希望する食事内容等）や予算情報を送信するようにしても良い。
また、健康管理情報を、健康管理情報を取得する度に送信しても良いし、複数回蓄積した後に、纏めて送信しても良い。また、飲食店情報の提示要求時に纏めて送信しても良い。
【００２２】
飲食店情報取得処理は、情報提示要求処理と、飲食店情報表示制御処理とを含んでいる。
制御部１１は、情報提示要求処理で、健康管理情報送信処理の場合と同様に情報管理センタ３にアクセスし、サービスメニュー情報を受信し、所定の項目を選択して、情報提示要求を行う。
なお、利用者の識別番号やパスワードが送信されると、情報管理センタ３で、健康情報管理サーバ３１の制御部４１が、携帯端末２と接続後、所定の認証処理を行うようにしても良い。
【００２３】
制御部１１は、飲食店情報表示制御処理で、情報管理センタ３から食事メニュー情報と、飲食店情報を受信すると、表示部１７に、食事メニュー情報と飲食店情報とを表示させる。
なお、携帯端末２から情報提示要求をすることなく、例えば、所定の時刻に情報管理センタ３から自動的に配信されるようにしても良い。また、携帯端末２から、情報提示時刻を、例えば当日前以て指定するようにしても良い。
【００２４】
記憶部１２は、ＲＯＭ、ＲＡＭ等の半導体メモリ等からなり、制御部１１が実行する各種制御プログラム等が記憶されたプログラム記憶部と、サービス利用のための識別情報や種別情報、設定情報等の各種情報が記憶された情報記憶部とを有してなっている。
プログラム記憶部には、アプリケーションプログラムとしてのメーラやブラウザ、健康管理情報取得処理プログラムや、健康管理情報送信処理プログラム、飲食店情報取得処理プログラム等が記憶されている。
情報記憶部には、電話帳情報、送受信電子メール情報、発着呼情報、測定時刻（測定時間間隔）等の設定情報や、健康管理情報の測定情報等の各種情報が記憶されている。
【００２５】
センサ部１３は、生体情報として、利用者の体温、心拍数、血圧、又は体脂肪率を、運動情報として、利用者の歩数を検出するために用いられる。
センサ部１３は、利用者の体温を測定するために設けられ、温度センサを有する体温測定部２５と、心拍数を測定するために設けられ、振動センサを有する心拍数測定部２６と、体脂肪率を測定するために設けられ、一対の電極を有する体脂肪率測定部２７と、血圧を測定するために設けられ、腕帯にエアを供給して加圧する加圧部、コロトコフ音を検出するマイクロフォン、及び圧力センサを有する血圧測定部２８と、歩数を測定するために設けられ、加速度センサを有する歩数測定部２９とを備えている。
【００２６】
表示部１７は、液晶ディスプレイ等からなり、文字や画像を表示するために用いられ、例えば、情報管理センタ３から取得した案内情報、メッセージ等を表示する。
操作部２３は、例えば、ブラウザを起動させてホームページを閲覧するためのブラウザモード選択キー、メーラを起動させるメールモード選択キー、操作を決定するために用いられる決定キー、操作メニューを表示させるためのメニューキー、文字入力モードを切り換えるための入力モード切替えキー、電話帳を登録したり検索するための電話帳キー、音声通話を行うために用いる通話開始キー、操作を１つ前の状態へ戻すクリアキー、及び電源の入切りを行った各種操作を中止するために用いられる電源キーを含む機能キー群と、表示部１７に表示された表示画面上のカーソルを上下左右方向へ移動させるためのカーソルキーと、例えば数字等を入力するためのテンキー群とを有している。
【００２７】
情報管理センタ３は、図４に示すように、利用者の健康状態を管理するための健康情報管理サーバ３１と、利用者の健康状態に適合した食事を提供する飲食店情報を管理する飲食店情報管理サーバ３２と、利用者に関する情報が記憶された利用者情報データベースサーバ３３と、飲食店情報が記憶された飲食店情報データベースサーバ３４と、食事メニュー情報が記憶されたメニュー情報データベースサーバ３５と、サービス利用料金の算出を行う課金サーバ３６と、担当者が操作するための操作端末３７とを有している。
【００２８】
健康情報管理サーバ３１は、ワークステーションサーバ等からなり、図５に示すように、ＣＰＵ等からなり、記憶部４２に記憶された所定の制御プログラムに従って構成各部を制御する制御部４１と、各種プログラムやデータが記憶される記憶部４２と、所定のプロトコルに従ってデータ通信を行うための通信部４３とを有している。
制御部４１は、記憶部４２に記憶された制御プログラムに従って、例えば、サービス受付処理や、健康管理情報収集処理、健康状態分析処理、食事メニュー情報生成処理等を実行する。
【００２９】
制御部４１は、サービス受付処理で、携帯端末２からサービス情報提示要求を受けると、サービス情報を、サービス提供事業者の営業活動のためにインターネット上に開設されたホームページにおいて提示し、健康管理サービスの受付処理を行う。
制御部４１は、健康管理情報収集処理で、携帯端末２から健康管理情報を受信すると、利用者情報データベースサーバ３３に記憶させる。
ここで、健康管理情報としては、生体情報として、利用者の体温、脈拍、血圧、及び体脂肪率等を、運動情報として、利用者の歩数等を含んでいる。健康管理情報は、対応する測定時刻情報を含んでいる。なお、制御部４１が、例えば、今回及び前回取得した歩数の積算値から、所定時間当りの歩数を求めても良い。
【００３０】
制御部４１は、健康状態分析処理で、今回取得した健康管理情報と、利用者情報データベースサーバ３３に記憶された利用者の身長や体重、性別、年齢等の利用者情報と、標準値情報（例えば、全国平均や、全利用者の平均値等）とに基づいて、利用者の現在の健康状態を分析する。制御部４１は、例えば、今回取得した体脂肪率が標準値よりも高い場合には、肥満傾向にあると判断する。
【００３１】
なお、制御部４１は、携帯端末２から飲食店情報の提示要求を受けてから健康状態分析処理の実行を開始するほか、予め設定した時刻に開始するようにしても良いし、健康管理情報がある程度蓄積されてから開始しても良い。
【００３２】
制御部４１は、食事メニュー情報生成処理で、健康状態分析処理における分析結果に加え、食事履歴と、健康状態履歴と、運動履歴とに基づいて、メニュー情報データベースサーバ３５を検索して適切な食事メニューを選定し、かつ、必要に応じて調整し、利用者のための適切に管理された食事メニューを生成する。
【００３３】
制御部４１は、例えば、利用者の最近の（例えば１週間以内の）食事内容が、脂肪過多の食事が多く、体脂肪率が上昇傾向で、歩数が目標値に満たないと判定したような場合には、摂取カロリーを控えて、所定のカロリー以下とし、不足している栄養素や過剰な栄養素を特定して、特に摂取カロリーを控えめにした適合する食事メニューを生成し、飲食店情報管理サーバ３２へ送信する。
【００３４】
ここで、歩数の目標値は、利用者が自由に設定しても良いし、制御部４１が、健康状態履歴と、運動履歴とに基づいて、推奨情報として求めても良い。
なお、制御部４１は、携帯端末２から嗜好情報や予算情報が付加されて送られてきた場合には、これらの嗜好情報や予算情報も参照して、食事メニュー情報を生成する。
【００３５】
記憶部４２は、ＲＯＭ、ＲＡＭや、ＦＤ（フレキシブル・ディスク）、ＨＤ（ハード・ディスク）、ＣＤ−ＲＯＭが装着されるＦＤＤ、ＨＤＤ、ＣＤ−ＲＯＭドライバ等からなり、制御部４１が実行するサービス受付処理プログラムや、健康管理情報収集処理プログラム、健康状態分析処理プログラム、食事メニュー情報生成処理プログラム等の各種処理プログラムが記憶されたプログラム記憶領域と、設定情報等の各種情報が記憶された情報記憶領域とを有している。
【００３６】
飲食店情報管理サーバ３２は、ワークステーションサーバ等からなり、図５に示すように、ハードウェア上の概略構成は、上述した健康情報管理サーバ４１と同様であり、制御部４４と、記憶部４５と、通信部４６とを有している。
制御部４４は、記憶部４５に記憶された制御プログラムに従って、例えば、飲食店情報抽出処理、飲食店情報提示処理等を実行する。
【００３７】
制御部４４は、健康情報管理サーバ４１から食事メニュー情報を受信すると、飲食店情報抽出処理で、飲食店情報データベースサーバ３４を検索して、健康情報管理サーバ４１が生成した現在の利用者の最適な食事メニューの食事の提供が可能な飲食店を選定する。ここで、携帯端末２の現在の位置情報に対応した（例えば、現在位置から徒歩圏内（１ｋｍ以内等））の飲食店を検索して抽出する。
【００３８】
制御部４４は、飲食店情報提示処理で、抽出された飲食店情報を食事メニュー情報とともに携帯端末２へ送信する。携帯端末２へ送信される飲食店情報は、店名、所在地、地図情報、アクセス方法、電話番号、ホームページＵＲＬ、並びに推奨食事メニューの名称、内容、及び価格等を含んでいる。
【００３９】
利用者情報データベースサーバ３３（飲食店情報データベースサーバ３４、メニュー情報データベースサーバ３５、課金サーバ３６）は、図５に示すように、ハードウェア上の概略構成は、上述した健康情報管理サーバ３１及び飲食店情報管理サーバ３２と同様であり、制御部４７（５１，５４，５７）と、記憶部４８（５２，５５，５８）と、通信部４９（５３，５６，５９）とを有してなっている。
【００４０】
利用者情報データベースサーバ３３の記憶部４８には、利用者別に、常時更新された状態で健康管理情報が記憶されるとともに、利用者基礎情報や、実際に利用者が摂取し食事のメニュー情報に基づく食事履歴情報が、データベース化されて記憶されている。
ここで、健康管理情報は、利用者の健康診断結果を含み、健康診断結果としては、身長や体重等を含む。
【００４１】
また、利用者基礎情報としては、利用者の識別情報に対応させた、利用者の氏名、住所、国籍、電子メールアドレス、電話番号、職業、年齢、性別、会社名、所属部署名、社員コード、病歴概略、常用している医薬品、生活習慣（平均運動量、飲酒・喫煙習慣の有無、食物の嗜好等）、アレルギ情報等を含んでいる。また、利用履歴情報は、利用者毎の健康管理サービスの利用実績を含んでいる。
【００４２】
飲食店情報データベースサーバ３４の記憶部５２には、常時更新された状態で飲食店情報が記憶されている。
飲食店情報は、店名、所在地、地図情報、アクセス方法、営業時間、予約の要否、電話番号、ホームページＵＲＬ、並びに食事メニューの名称、内容、及び価格等を含んでいる。
食事メニューの内容としては、使用食材、調理方法、調理時間、カロリー、塩分量等の栄養成分、及び可能調整範囲情報等を含み、可能調整範囲情報は、味付けや交換可能（又は削除可能、追加可能）な食材等、利用者の嗜好や予算、健康状態等に応じて、飲食店において融通が利く範囲を示す情報である。
【００４３】
メニュー情報データベースサーバ３５の記憶部５５には、メニュー情報がデータベース化されて記憶されている。
ここで、各メニュー情報は、例えば、栄養素別（蛋白質系、脂肪系等）に分類された分類情報、食事形態別（朝食用、昼食用等）に分類された分類情報、疾患別（心臓病向、肝臓病向き等）に分類された分類情報等に分類されて記憶部に記憶され、それぞれ、使用食材や調理方法のほか、栄養情報として、総カロリーや、含有栄養素情報を含んでいる。含有栄養素情報は、炭水化物、蛋白質、脂質、ビタミン、ミネラル、繊維等の栄養成分の比率を含んでいる。
【００４４】
課金サーバ３６は、例えば、情報管理センタ３が提供する情報や機能を利用する毎に利用料金を算出し、指定された単位で（例えば、一ヶ月毎、すなわち、月締めでの月次処理）に利用者に請求するための処理を行い、利用者に請求するための利用明細書情報を生成する。
また、課金サーバ３６は、例えば月額固定の基本料金、サービス毎、情報毎の利用料金、利用者毎、受信端末毎のサービス利用回数等を課金情報として管理する。
【００４５】
操作端末３７は、例えば、パーソナルコンピュータからなり、所定の制御プログラムに従って構成各部を制御する制御部と、各種プログラムやデータが記憶される記憶部と、所定のプロトコルに従ってデータ通信を行うための通信部と、操作部と、表示部とを有してなっている。
ネットワーク４は、例えば固定網又は／及び移動通信網からなる公衆系の通信網を有し、この通信網がインターネットに接続されてなっている。
【００４６】
次に、図６を参照して、上記構成の健康管理システム１の動作について説明する。
前提として、利用者は、所定の対価を支払って、この健康管理システム１のサービスを受けることができる会員として、予め登録し、識別番号（ＩＤ番号）及びパスワードを付与されているものとする。
【００４７】
制御部１１は、予め設定された測定時刻となると、測定開始を報知するための警報音又は音声メッセージを音声出力部１８に出力させるとともに、表示部１７に、測定開始を報知するための文字メッセージを表示させる。
ここで、制御部１１は、利用者へのセンサ部１３の未装着を検知した場合には、利用者に装着を促すための音声メッセージ及び文字メッセージを、それぞれ、音声出力部１８及び表示部１７に出力させる。
【００４８】
これにより、利用者は、センサ部１３の体温測定部２５の温度センサ及び心拍数測定部２６の振動センサの配置箇所を、身体の所定の部位（例えば、腕等）に当てるとともに、体脂肪率測定部２７の両電極を例えば左右の手に接触させ、血圧測定部２８の腕帯を一方の腕に巻き付ける。
【００４９】
次に、制御部１１は、センサ部１３からの検出情報に基づいて、健康管理情報を生成する（ステップＳＡ１１（図６））。
また、制御部１１は、体温測定部２５の温度センサからの検出情報を、体温情報として取得する。また、制御部１１は、心拍数測定部２６の振動センサからの検出情報に基づいて、１分間の振動数を心拍数として算出する。
【００５０】
また、制御部１１は、体脂肪率測定部２７の両電極間の抵抗値を検知し、抵抗値と体脂肪率と間の所定の相関関係に基づいて、検知された抵抗値から、利用者の現在の体脂肪率を求める。また、制御部１１は、血圧測定部２８の圧力センサからの検出情報に基づいて、最高血圧値及び最低血圧値を求める。
また、制御部１１は、歩数測定部２９の加速度センサからの検出情報に基づいて、現在の歩数の積算値を取得する。
【００５１】
制御部１１は、利用者による接続操作がなされ（ステップＳＡ１２）、すなわち、利用者の操作によって、所定のＵＲＬ（Uniform Resource Locator）が設定されて、情報管理センタ３にアクセスし、閲覧要求を行ってサービスメニュー情報を受信し、所定の項目を選択して、飲食店情報の提示要求とともに健康管理情報を送信する（ステップＳＡ１３）。
情報管理センタ３では、健康情報管理サーバ３１の制御部４１は、健康管理情報収集処理で、携帯端末２から健康管理情報を受信すると、利用者情報データベースサーバ３３に記憶させる（ステップＳＡ１４）。
【００５２】
制御部１１は、利用者による接続操作がなされ（ステップＳＡ１５）、健康管理情報送信処理の場合と同様に情報管理センタ３にアクセスし、サービスメニュー情報を受信し、所定の項目を選択して、情報提示要求を行う（ステップＳＡ１６）。
【００５３】
制御部４１は、携帯端末２から情報提示要求を受けると、取得した健康管理情報と、利用者情報データベースサーバ３３に記憶された利用者の身長や体重、性別、年齢等の利用者情報と、標準値情報（例えば、全国平均や、全利用者の平均値等）とに基づいて、利用者の現在の健康状態を分析する（ステップＳＡ１７）。制御部４１は、例えば、今回取得した体脂肪率が標準値よりも高い場合には、肥満傾向にあると判断する。
【００５４】
制御部４１は、食事メニュー情報生成処理で、健康状態分析処理における分析結果に加え、食事履歴と、健康状態履歴と、運動履歴とに基づいて、メニュー情報データベースサーバ３５を検索して適切な食事メニューを選定し、かつ、必要に応じて調整し、利用者のための適切に管理された食事メニューを生成する（ステップＳＡ１８）。
【００５５】
制御部４１は、例えば、利用者の最近の（例えば１週間以内の）食事内容が、脂肪過多の食事が多く、体脂肪率が上昇傾向で、歩数が目標値に満たないと判定したような場合には、摂取カロリーを控えて、所定のカロリー以下とし、不足している栄養素や過剰な栄養素を特定して、特に摂取カロリーを控えめにした適合する食事メニューを生成し、飲食店情報管理サーバ３２へ送信する（ステップＳＡ１９）。
【００５６】
飲食店情報管理サーバ３２の制御部４４は、健康情報管理サーバ４１から食事メニュー情報を受信すると、飲食店情報データベースサーバ３４を検索して、健康情報管理サーバ４１が生成した現在の利用者の最適な食事メニューの食事の提供が可能な飲食店を選定する（ステップＳＡ２０）。ここで、携帯端末２の現在の位置情報に対応したの飲食店を検索して抽出する。
次に、制御部４４は、抽出された飲食店情報を食事メニュー情報とともに携帯端末２へ送信する（ステップＳＡ２１）。
【００５７】
携帯端末２の制御部１１は、飲食店情報表示制御処理で、情報管理センタ３から食事メニュー情報と、飲食店情報を受信すると、表示部１７に、食事メニュー情報と飲食店情報とを表示させる。（ステップＳＡ２２）
【００５８】
このように、この例の構成によれば、携帯端末２の制御部１１は、センサ部１３を介して、利用者の健康管理情報を取得できるとともに、健康情報管理サーバ３１の制御部４１は、携帯端末２から健康管理情報を受信すると、取得した健康管理情報と、利用者情報と、標準値情報とに基づいて、利用者の現在の健康状態を分析し、この分析結果に加え、食事履歴と、健康状態履歴と、運動履歴とに基づいて、利用者のための適切に管理された食事メニューを生成し、飲食店情報管理サーバ３２の制御部４４は、健康情報管理サーバ４１から食事メニュー情報を受信すると、健康情報管理サーバ４１が生成した現在の利用者の最適な食事メニューの食事の提供が可能な飲食店を選定して、携帯端末２に提示するので、利用者は、現在の健康状態において最適な食事を取ることができ、利用者の健康管理に確実に寄与することができる。
したがって、外食中心の食生活を送りがちな例えば単身者等の利用者の健康の維持及び増進に役立てることができる。
【００５９】
特に、携帯端末２の制御部１１は、センサ部１３を介して、利用者の運動情報を取得できるとともに、健康情報管理サーバ３１の制御部４１は、利用者の運動情報にも基づいて、食事メニューを生成するので、例えば、運動不足によるカロリーの過剰摂取や、これによる健康状態の悪化を抑制することができる。
また、旅行先や出張先等で、不案内な地域でも、迅速に飲食店を選択して、現在の健康状態において最適な食事を取ることができる。
【実施例２】
【００６０】
図７は、この発明の第２の実施例である健康管理システムの構成を示す図、図８は、同健康管理システムの携帯端末の構成を示すブロック図、また、図９は、同健康管理システムの腕時計型測定器の構成を示すブロック図である。
この例の構成が上述した第１の実施例の構成と大きく異なるところは、第１の実施例では、携帯端末と測定器とを一体化させたのに対して、携帯端末と、腕時計型測定器とを近距離通信によって接続するように構成した点である。
【００６１】
これ以外の構成は、上述した第１の実施例の構成と略同一であるので、第１の実施例と同一の構成要素については、図７及び図８において、図１及び図２で用いた符号と同一の符号を付して、その説明を簡略にする。
【００６２】
この例の健康管理システム１Ａは、図７に示すように、利用者が用いる携帯端末２Ａ，２Ａ，…と、サービス提供事業者が管理する情報管理センタ３とが、ネットワーク４を介して接続され、各携帯端末２Ａと、利用者の腕に装着される腕時計型測定器６１とが近距離通信によって接続されて概略構成されている。
【００６３】
携帯端末２Ａは、図８に示すように、制御部１１Ａと、記憶部１２Ａと、アンテナ１５を介して無線基地局との間で無線電波の送受信を行い、所定のプロトコルに従って通話やデータ通信を行うために用いられる無線通信部１６と、アンテナ１５を介して無線基地局との間で無線電波の送受信を行い、所定のプロトコルに従って通話やデータ通信を行うために用いられる無線通信部１６と、ブルートゥース用のアンテナ６２を介して腕時計型測定器６１との間で近距離を行って、検出情報を受信するために用いられるブルートゥース通信部６３と、表示部１７と、音声出力部１８と、送話部１９と、受話部２１と、音声処理部２２と、操作部２３Ａとから概略構成されている。
【００６４】
制御部１１Ａは、携帯端末本体の構成各部を制御して、健康管理情報取得処理や、健康管理情報送信処理、飲食店情報取得処理等を実行する。健康管理情報取得処理は、測定制御処理と、測定案内処理と、健康管理情報生成処理とを含んでいる。
制御部１１Ａは、測定制御処理で、予め設定された測定時刻となると、腕時計型測定器６１へ測定開始指示を送り、検出情報を取得する。
制御部１１Ａは、健康管理情報生成処理で、腕時計型測定器６１から取得した検出情報に基づいて、健康管理情報を生成する。
【００６５】
なお、この例では、制御部１１Ａは、測定案内処理で、予め設定された測定時刻となった場合に、体脂肪率や血圧を測定するときに、測定開始を報知するための警報音又は音声メッセージを音声出力部１８に出力させるとともに、表示部１７に、測定開始を報知するための文字メッセージを表示させるようにしても良い。
【００６６】
ブルートゥース通信部６３は、２．４５ＧＨｚ帯の電波をアンテナを介して送受信するためのＲＦチップとベースバンドチップとを有し、腕時計型測定器６１との間で近距離通信を行って、測定開始指示を行ったり、測定情報を受信するために用いられる。
操作部２３Ａは、ブルートゥースを利用した通信を行うために用いられるブルートゥース送信キーや、ブルートゥースを利用した近距離通信以外の通信を停止する通信制限モードへ移行するための通信制限モードキー等が追加される。
【００６７】
腕時計型測定器６１は、筐体に取り付けられた装着用リストバンドによって利用者の腕に装着され、図９に示すように、当該腕時計型測定器本体の構成各部を制御する制御部６５と、制御部６５が実行する処理プログラムや各種データ等を記憶するための記憶部６６と、利用者の健康状態を知るために健康管理情報（生体情報及び運動情報）を取得するためのセンサ部６７と、Ａ／Ｄ変換器等を有する入出力部６８と、ブルートゥース用のアンテナ６９を介して携帯端末２Ａとの間で近距離を行って、検出情報を受信するために用いられるブルートゥース通信部７１と、現在時刻を含む計時情報（例えばアナログ表示）等の画像情報や、検出情報及び案内メッセージ等の文字情報が表示出力される表示部７２とから概略構成されている。
【００６８】
制御部６５は、記憶部６６に記憶された各種処理プログラムを実行し、腕時計型測定器本体の構成各部を制御して、健康管理情報検出処理や、表示制御処理等を実行する。
制御部６５は、健康管理情報検出処理で、携帯端末２Ａから、ブルートゥース通信部７１を介して測定開始指示を受け取ると、センサ部６７を制御してセンサ部６７から検出情報を取得し、携帯端末２Ａへ送信する。
制御部６５は、表示制御処理で、健康管理情報検出時には、例えば、測定中であることを示すメッセージや検出情報等を表示部７２に表示させると共に、通常は、現在時刻情報等を表示部７２に例えばアナログ表示させる。
【００６９】
センサ部６７で、体温測定部２５の温度センサや、心拍数測定部２６の振動センサは、筐体の裏面（利用者の腕に接触する部位）に配置される。
なお、装着用リストバンドと、体脂肪率測定用のリストバンドとに体脂肪率測定部２７の電極を設け、体脂肪率測定時に、例えば両手に電極を接触させるために用い、通常は、例えば、両リストバンドを片手に２重に巻いて装着するようにしても良い。
また、血圧測定部２８では、指先に圧力を加えて血圧を測定する方法を採用しても良い。
【００７０】
この例の構成によれば、上述した第１の実施例と略同様の効果を得ることができる。
加えて、測定毎の操作や装着の手間を軽減することができる。例えば、体温、心拍数、歩数等の測定では、利用者が測定を意識して操作や装着をしなくても自動的に測定することができる。
【実施例３】
【００７１】
図１０は、この発明の第３の実施例である健康管理システムの構成を示す図である。
この例の構成が上述した第１の実施例の構成と大きく異なるところは、利用者の携帯端末から、ネットワークを介して、飲食店の予約が可能なように構成した点である。
これ以外の構成は、上述した第１の実施例の構成と略同一であるので、第１の実施例と同一の構成要素については、図１０において、図１で用いた符号と同一の符号を付して、その説明を簡略にする。
【００７２】
この例の健康管理システム１Ｂは、図１０に示すように、利用者が用いる携帯端末２Ｂ，２Ｂ，…と、飲食店に設置された店舗端末７４，７４，…と、サービス提供事業者が管理する情報管理センタ３Ｂとが、ネットワーク４を介して接続されて概略構成されている。
【００７３】
この例では、情報管理センタ３Ｂの飲食店情報管理サーバの制御部（食事メニュー情報生成手段、予約受付手段）は、記憶部に記憶された制御プログラムに従って、飲食店情報抽出処理、飲食店情報提示処理のほか、飲食店予約処理等を実行する。
飲食店予約処理は、食事メニュー調整処理と、飲食店照会処理と、予約通知処理とを含んでいる。
【００７４】
この制御部は、例えば、健康管理情報受信時、飲食店情報提示要求時、又は予約要求時に、携帯端末２Ｂから嗜好情報や予算情報を受け取ると、食事メニュー調整処理で、提示した推奨メニューに対して、嗜好情報や予算情報に応じた食事メニューの調整を行い、メニュー調整情報を生成する。
【００７５】
制御部は、飲食店照会処理で、携帯端末２Ｂから予約要求を受けると、飲食店の店舗端末７４へ予約可能か否かの照会を行うための照会情報を送信する。
照会情報には、予定時間、予定人数のほか、利用者によって選択された推奨メニュー情報、及びメニュー調整情報が含まれる。
【００７６】
制御部は、予約通知処理で、店舗端末７４から予約可能との通知を受け取ると、予約完了の旨の通知を携帯端末２Ｂへ送信し、予約不可との通知を受け取ると、予約不可の旨の通知を携帯端末２Ｂへ送信する。なお、この例では、制御部は、店舗端末７４からメニュー調整不可との通知を受け取ると、メニュー調整不可の旨の通知を携帯端末２Ｂへ送信する。
【００７７】
各店舗端末７４は、例えば、パーソナルコンピュータからなり、所定の制御プログラムに従って構成各部を制御する制御部と、各種プログラムやデータが記憶される記憶部と、所定のプロトコルに従ってデータ通信を行うための通信部と、操作部と、表示部とを有してなっている。
【００７８】
この例の構成によれば、上述した第１の実施例と略同様の効果を得ることができる。
加えて、利用者の手間を一段と軽減することができる。
【実施例４】
【００７９】
図１１は、この発明の第４の実施例である健康管理システムの構成を示すブロック図、また、図１２は、同健康管理システムの飲食店案内装置の構成を示すブロック図である。
この例の構成が上述した第１の実施例の構成と大きく異なるところは、ネットワークに接続された飲食店案内装置が設けられ、携帯端末が、飲食店案内装置から近距離通信によって飲食店の詳細情報を入手可能なように構成した点である。
【００８０】
これ以外の構成は、上述した第１の実施例の構成と略同一であるので、第１の実施例と同一の構成要素については、図１１において、図１で用いた符号と同一の符号を付して、その説明を簡略にする。なお、携帯端末としては、ブルートゥースを利用した近距離通信が可能な携帯端末が用いられる。
【００８１】
この例の健康管理システム１Ｃは、図１１に示すように、利用者が用いる携帯端末２Ｃ，２Ｃ，…と、例えば、大規模商業施設等の入口付近に配置され、施設内の飲食店の情報を携帯端末２Ｃへ近距離通信によって提供するための飲食店案内装置７６，７６，…と、サービス提供事業者が管理する情報管理センタ３Ｃとが、ネットワーク４を介して接続されて概略構成されている。
【００８２】
飲食店案内装置７６は、図１２に示すように、ブルートゥースを利用した近距離通信機能を有し、ＣＰＵ等からなり、記憶部７８に記憶された所定の制御プログラムに従って構成各部を制御する制御部７７と、各種プログラムやデータが記憶される記憶部７８と、所定のプロトコルに従って、ネットワーク４を介して情報管理センタ３Ｃとデータ通信を行うための通信部７９と、アンテナ８１を介して近接状態の携帯端末２Ｃと近距離通信を行うためのブルートゥース通信部８２と、大規模商業施設内の飲食店を案内するための地図情報が表示された案内板上に配置されて、各飲食店の情報（営業情報や混雑状況等）を報知するための表示部８３とから概略構成されている。
【００８３】
制御部７７は、各飲食店の情報を表示部８３に表示させる表示制御処理のほか、案内情報供給処理等を実行する。
制御部７７は、案内情報供給処理で、携帯端末２Ｃから、案内情報提示要求を利用者の識別情報とともに受けると、情報管理センタ３Ｃからこの利用者に対応した大規模商業施設内の飲食店の情報と、推奨メニュー情報とを受け取って、携帯端末２Ｃへ送信する。
【００８４】
この例の構成によれば、上述した第１の実施例と略同様の効果を得ることができる。
加えて、大規模商業施設内等で、迅速にかつ簡単に、適切な飲食店情報を取得することができる。
【００８５】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述した実施例では、健康情報管理サーバ、利用者情報データベースサーバ、飲食店管理サーバ、飲食店情報データベースサーバ及び課金サーバを、集中させて配置する場合について述べたが、ネットワーク上に分散させて配置しても良い。
また、例えば、健康管理サーバ及び利用者情報データベースサーバと、飲食店管理サーバ及び飲食店情報データベースサーバとを、ネットワークを介して、接続するようにしても良い。
【００８６】
また、例えば、健康情報管理サーバと飲食店管理サーバとを一体化しても良いし、健康情報管理サーバと利用者情報データベースサーバ、飲食店管理サーバと飲食店情報データベースサーバとを、それぞれ、一体化しても良い。また、各サーバを、単数とは限らず複数設けても良い。
【００８７】
また、携帯端末を、ＡＰ（Access Point）中継器と、無線ＬＡＮによって接続し、ＡＰ中継器を介して、情報管理センタと接続するようにしても良い。ここで、無線ＬＡＮの伝送媒体としては、２．４ＧＨｚ帯の電波でも良いし、１９ＧＨｚ帯の電波でも良い。
また、複数階層に階層化された中継機器群を介して、携帯端末を情報管理センタと接続するようにしても良い。また、無線ＬＡＮに代えて、赤外線を用いても良いし、ブルートゥースを利用した近距離通信によっても良い。
また、課金サーバにおいて、利用者の利用情報を収集するための課金メディエーション処理を行う独立させた別のサーバを設けるようにしても良い。
【００８８】
また、ネットワークとして、移動通信網を用いて、この移動通信網を経由して、健康管理情報や飲食店情報、食事メニュー情報等の送受信を行う場合について述べたが、もちろん、固定網を含めた場合にも、また、固定網のみの場合にも適用できる。また、インターネットに接続する場合にも、接続しない場合にも適用できる。また、公衆回線に限らず、専用回線を含む場合にも適用できる。また、ＡＤＳＬやＦＴＴＨ等を用いたネットワークを介して接続しても良い。
【００８９】
また、生成したメニューの食事の提供場所は、飲食店に限らず、例えば、鉄道等の移動体の中でも良いし、病院内の病室でも良い。また、配達先としての自宅等であっても良い。
また、飲食店情報の提供場所を、限定しても良い。すなわち、商業施設等、一般企業のビル内や、役所内等で利用できるようにしても良い。また、建物内に限らず、商店街や、イベント会場、町内等の比較的広範囲内で利用しても良い。また、イベント会場等で、仮設の設備を設ける場合に適用しても良い。
また、空港や、駅、バスセンタ等のターミナルの建物や、大規模商業施設、宿泊施設等の大型の建物内で利用するようにしても良い。
【００９０】
また、血圧や心拍数のほか、両電極間の抵抗値から、骨密度等を推定するようにしても良い。また、血圧計では、腕帯内のマイクロフォンでコロトコフ音を検出する方法を用いる方法でも、腕帯内の脈圧を検出するオシロメトリック法を用いる方法でも良い。
【００９１】
また、例えば、会員同士で会食したい場合も、適用することができる。また、単一の携帯端末を、家族や友人同士等で共有とした場合にも、個人の識別情報を付して情報の送受信を行うことによって、適用することができる。
【００９２】
また、電源オンと同時に、ブラウザを起動させるようにしても良いし、自動的に情報管理センタ（案内サイト）にアクセスするように設定するようにしても良いし、さらに、自動的に健康管理情報送信や情報提示要求が実行されるようにしても良い。
また、例えば、案内装置等に到達した際に、自動的に電源オンとなるように構成しても良い。また、健康管理情報を、電子メールで送信しても良い。また、飲食店情報も電子メールで受信しても良い。
【００９３】
また、第１の実施例では、健康管理システムのサービスを受けることができる会員として、予め登録する場合について述べたが、必ずしも登録しなくても良い。
また、第１の実施例では、携帯端末は、必ずしも、測定機能を有してなくても良く、健康管理情報を操作部を介して入力するようにしても良い。
また、第１の実施例では、情報提示要求時に、携帯端末から嗜好情報を送信し、管理サーバが、嗜好情報に基づいて、メニューを選定しても良いし、利用者情報から嗜好情報を抽出して、この嗜好情報に基づいて、メニューを選定しても良い。
また、第１の実施例では、携帯端末から、健康管理情報を取得する度に情報管理センタへ健康管理情報を送信しても良いし、纏めて送信しても良い。例えば、情報提示用要求時に纏めて送信しても良い。
また、第１の実施例では、現在の健康状態のほか、食事履歴や運動履歴から、運動内容を推奨するようにしても良い。ここで、運動内容としては、休息内容を含んでも良い。
【００９４】
また、第２の実施例で、近距離通信として、ブルートゥースを利用した通信に限らず、赤外線通信によっても良い。
また、第２の実施例で、測定器に、例えば、針を当てて指先から採取された少量の血液から血糖値や尿酸値、コレステロール値等を計測するための測定器を含めても良い。
また、第２の実施例で、測定機能の一部、例えば、歩数測定部や血圧測定部を、携帯端末に設けるようにしても良い。
また、第２の実施例で、携帯端末と、腕時計型測定器とを近距離通信によって接続するのに代えて、測定器を有する腕時計型の携帯端末と、ハンズフリー装置とを近距離通信によって接続するようにしても良い。ここで、携帯端末とハンズフリー装置とを有線で接続しても良い。
また、第２の実施例で、単一の携帯端末に、複数の腕時計型測定器が接続されていても良い。
また、第３の実施例で、飲食店の店舗端末から、情報管理センタへ、空き情報や、調整可能範囲情報等を、変更時に送信して、飲食店情報管理サーバの照会処理を簡略化するようにしても良い。
また、第３の実施例で、健康管理サービスの利用実績に応じて、例えば、予約の優先順位を変更するようにしても良い。
【産業上の利用可能性】
【００９５】
移動可能な携帯端末として、携帯電話機のほか、データ通信機能を有する簡易型携帯電話（ＰＨＳ）端末や、携帯情報端末（ＰＤＡ）、携帯型のコンピュータを用いる場合に適用できる。また、携帯端末としては、通話機能がない端末に適用できる。
【図面の簡単な説明】
【００９６】
【図１】この発明の第１の実施例である健康管理システムの構成を示す図である。
【図２】同健康管理システムの携帯端末の構成を示すブロック図である。
【図３】同携帯端末のセンサ部の構成を示すブロック図である。
【図４】同健康管理システムの情報管理センタの構成を示すブロック図である。
【図５】同情報管理センタの健康情報管理サーバ、飲食店情報管理サーバ、利用者情報データベースサーバ、飲食店情報データベースサーバ、メニュー情報データベースサーバ、及び課金サーバの構成を示すブロック図である。
【図６】同健康管理システムの動作を説明するための説明図である。
【図７】この発明の第２の実施例である健康管理システムの構成を示す図である。
【図８】同健康管理システムの携帯端末の構成を示すブロック図
【図９】同健康管理システムの腕時計型測定器の構成を示すブロック図である。
【図１０】この発明の第３の実施例である健康管理システムの構成を示す図である。
【図１１】この発明の第４の実施例である健康管理システムの構成を示すブロック図である。
【図１２】同健康管理システムの飲食店案内装置の構成を示すブロック図である。
【符号の説明】
【００９７】
１，１Ａ，１Ｂ，１Ｃ      健康管理システム
２，２Ａ，２Ｂ，２Ｃ      携帯端末
３      情報管理センタ
４      ネットワーク
１１      制御部（健康管理情報取得手段）
１３      センサ部（測定手段）
１６      無線通信部（健康管理情報送信手段）
３１      健康情報管理サーバ（情報処理装置）
３２      飲食店情報管理サーバ（情報処理装置）
３３      利用者情報データベースサーバ（情報処理装置）
３４      飲食店情報データベースサーバ（情報処理装置）
３５      メニュー情報データベースサーバ（情報処理装置）
４１      制御部（食事メニュー情報生成手段）
４４      制御部（食事提供元情報供給手段）
４８      記憶部（健康管理情報蓄積手段）
５２      記憶部（食事提供元情報蓄積手段）
５５      記憶部（食事メニュー情報蓄積手段）
６１      腕時計型測定器（測定端末、腕時計型端末）
７４      店舗端末（提供元端末）
７６      飲食店案内装置（提供元案内装置）
【図１】
2009009350.tif 000003
【図２】
2009009350.tif 000004
【図３】
2009009350.tif 000005
【図４】
2009009350.tif 000006
【図５】
2009009350.tif 000007
【図６】
2009009350.tif 000008
【図７】
2009009350.tif 000009
【図８】
2009009350.tif 000010
【図９】
2009009350.tif 000011
【図１０】
2009009350.tif 000012
【図１１】
2009009350.tif 000013
【図１２】
2009009350.tif 000014